(57)【要約】【課題】遊技領域内におけるスペース効率の向上に寄与しつつ、その開閉態様を目立つようにして遊技者の興趣向上を図り、しかも、不測の入球を防止して遊技領域を流下する球の流入開口への入球率の調整を容易とし、入球率に対する設計意図を反映させ易い遊技機用の入球具及び遊技機を提供すること。【解決手段】この第２始動入賞具１１は、遊技領域を流下する球を流入させるための第２始動口１６と、球を受ける受け面１８ａを有して第２始動口１６を前後に進退し、その進出状態において球を受け面１８ａで受けて第２始動口１６からの球の流入を許容すると共にその退避状態において第２始動口１６からの球の流入を阻止する下ベロ部材１８と、退避状態において下ベロ部材１８の前面１８ｂを遮蔽し、進出状態において前面１８ｂを前方に向けて露出させる可動プレート１９と、下ベロ部材１８を前後に進退移動させるソレノイド２０とを有している。【選択図】図２
2009189578.tif 000002
【特許請求の範囲】
【請求項１】
遊技領域を流下する球を流入させるための流入開口と、
前記球を受ける受け面を有して該流入開口を前後に進退し、その進出状態において前記球を前記受け面で受けて前記流入開口からの前記球の流入を許容すると共にその退避状態において前記流入開口からの前記球の流入を阻止する進退部材と、
前記退避状態において前記進退部材の前面を遮蔽し、前記進出状態において該前面を前方に向けて露出させる遮蔽部材と、
該進退部材を前後に進退移動させる駆動手段と、を有する遊技機用の入球具。
【請求項２】
前記進退部材の前面が、前記進出状態において前方に向けて装飾演出を行う装飾演出部又は情報提供を行う情報提供部として機能する請求項１に記載の遊技機用の入球具。
【請求項３】
請求項１又は請求項２に記載の遊技機用の入球具と、
前記遊技領域をその表面に画定する遊技盤と、
該遊技盤を遊技者にとって視認可能となるように保持する枠体と、
前記遊技盤に対してその前方に一定距離以上離間して配置された前面透明板と、
前記遊技領域に向けて前記球を発射する発射ユニットと、
前記球を貯留する貯留皿と、を有する遊技機。
【発明の詳細な説明】
【技術分野】
【０００１】
本発明は、遊技機用の入球具及び遊技機に係り、特に、省スペースで入球率の調整を容易としつつ斬新な役物動作により遊技者に興趣を与えることのできる遊技機用の入球具等に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の遊技領域に配置される入賞口には、例えば普通入賞口、始動入賞口、大入賞口等の様々なものがある。そのうち、始動入賞口や大入賞口は、球の入賞が容易（又は、可能。）な状態と困難（又は、不可能。）な状態とに変更可能な開閉部材を有する変動入賞役物によって構成されることがある。
【０００４】
例えば、始動入賞口を構成する役物としてよく用いられる変動入賞役物（いわゆる、電動チューリップ。）は、入賞口上方の左右両側に揺動開閉可能な開閉羽根部材が配置され、その開閉羽根の開閉により入賞容易／入賞困難の状態を作り出している。また、大入賞口を構成する役物としてよく用いられる変動入賞役物（いわゆる、アタッカー。）は、入賞口の前方に前後開閉可能な開閉扉部材が配置され、その扉の開閉により入賞容易／入賞困難の状態を作り出している。
【０００５】
このように、常に球を入賞可能な状態とするのでなく、遊技の状況に応じて入賞の確率（又は可否）を変化させることによって、パチンコ機における遊技の興趣を一層増大させることができるのである。なお、このように、球の入賞確率を変化させた変動入賞役物については、例えば特許文献１，２に開示されている。
【０００６】
近年では、遊技領域内に遊技演出のための図柄表示装置が配置される場合が多く、その図柄表示装置は年々大型化している。しかしながら、遊技領域の面積は容易に大型化することができないため、変動入賞役物等については必然的に小型化の必要性を生じる。例えば、大入賞口においては、その入賞口と開閉扉の高さ寸法を低減して小型化を図っている。そして、入賞口の前方に入賞を補助するための補助部材を配置して、球詰まり等のトラブルを防止している（例えば、特許文献３を参照。）。
【０００７】
【特許文献１】特開２００７−１４４２２２号公報
【特許文献２】特開２００７−２４４６１７号公報
【特許文献３】特開２００７−１４６４３号公報
【発明の開示】
【発明が解決しようとする課題】
【０００８】
しかしながら、上記のような開閉羽根部材による開閉を行う変動入賞役物や開閉扉部材による開閉を行う変動入賞役物は、開閉部材が比較的大きくその動作も大きいことから、遊技領域内において必要な面積も大きくなってしまうという問題がある。特に近年では、遊技領域内の略中央に配置される図柄表示装置の大型化が進んでいるので、変動入賞役物等の他の役物においては小型化が要求されている。一方、開閉部材の小型化を図ると、その開閉態様も目立ちにくくなってしまい、遊技者の興趣が薄れてしまう。そのため、目立ち易くわかり易い開閉態様により、遊技領域での省スペースを図りつつ、遊技者の興趣向上を図りたいという要望もある。
【０００９】
更に、開閉羽根部材や開閉扉部材は、その閉鎖動作において球を入賞させる方向に羽根部材や扉部材が傾きながら閉じていくので、閉鎖途中に入賞しかかった球が、そのまま開閉羽根部材や開閉扉部材によって入賞口へと押し込まれてしまって入賞してしまうという問題がある。本来入賞すべきでない球が、開閉部材の閉鎖動作の途中で入賞してしまうと、入賞率が設計値から外れてしまってパチンコホールが不利益を受けてしまう場合がある。なお、上記したように、開閉部材の閉鎖途中に意図せず入球口に入球する場合や、側方等の意図しない流下方向からゲージ等によって弾かれて入球口に入球する場合において、このような意図しない入球又はそれにより入球した球を総称して「不測の入球」と呼ぶこととする。
【００１０】
本発明は、上記の事情に鑑みて為されたもので、遊技領域内におけるスペース効率の向上に寄与しつつ、その開閉態様を目立つようにして遊技者の興趣向上を図り、しかも、不測の入球を防止して遊技領域を流下する球の流入開口への入球率の調整を容易とし、入球率に対する設計意図を反映させ易い遊技機用の入球具及び遊技機を提供することを例示的課題とする。
【課題を解決するための手段】
【００１１】
上記の課題を解決するために、本発明の例示的側面としての遊技機用の入球具は、遊技領域を流下する球を流入させるための流入開口と、球を受ける受け面を有して流入開口を前後に進退し、その進出状態において球を受け面で受けて流入開口からの球の流入を許容すると共にその退避状態において流入開口からの球の流入を阻止する進退部材と、退避状態において進退部材の前面を遮蔽し、進出状態において前面を前方に向けて露出させる遮蔽部材と、進退部材を前後に進退移動させる駆動手段とを有することを特徴とする。
【００１２】
進退部材が流入開口を前後に進退することにより、球の流入開口への流入許可と流入阻止とを変更するので、遊技領域内にこの入球具を配置した場合に比較的小面積で入球確率の変更を実現することができ、遊技領域内のスペース効率の向上に寄与することができる。また、退避移動の途中で受け面に受け止められた球を入球させずに遊技領域に残し、そのまま遊技領域を流下させることができる。したがって、進退部材の退避移動中における流入開口への不測の入球を有効に防止することができる。その結果、この遊技機における入球具の入球率の調整が容易となり、設計意図を充分に反映させた入球率設定を行うことができる。
【００１３】
進退部材の進退移動に伴い、その前面が遮蔽部材によって遮蔽されたり露出されたりするので、その進退移動を目立たせることができる。したがって、前方からこの入球具を視認する遊技者に対して、進退移動をわかり易く呈示することができ、遊技者に安心感や面白みを提供することができる。
【００１４】
なお、ここにおいて遊技機とは、遊技媒体として球を用いてその流下による遊技を実現するものをいい、パロット機等を含むが、典型的にはパチンコ機を意味する。そして、この入球具は、パチンコ機において、普通入賞具、始動入賞具等として利用される。また、前後方向は、この入球具が遊技機に設置された状態における前（遊技機から遊技者に向かう方向）方向及び後（遊技者から遊技機に向かう方向）方向を意味し、上下左右方向は、遊技機に対面する遊技者にとっての上下左右方向を意味する。
【００１５】
進退部材の前面が、進出状態において前方に向けて装飾演出を行う装飾演出部又は情報提供を行う情報提供部として機能してもよい。
【００１６】
進退部材の前面が装飾演出部として機能するように構成すれば、退避状態において遮蔽されている前面が、進出移動に伴って露出することにより、前方の遊技者に対して装飾演出を行うことが可能となる。進退部材の進出移動に伴い、装飾演出部が突然現れて装飾演出を行うので、演出に意外性があり遊技者の興趣を増大させることができる。
【００１７】
同様に、進退部材の前面が情報提供部として機能するように構成すれば、進出移動に伴って情報提供部が現れて、前方の遊技者に対して情報提供を行うことが可能となる。遊技の状況に応じて進退部材を進出させれば、その状況に応じた情報提供（例えば、遊技説明や手順のナビゲーション。）を行うことができ、遊技者に楽しさや利便性を提供することができる。
【００１８】
例えば、進退部材の前面に「アタックチャンス！！」との文字を記載すれば、退避状態においては遮蔽されている「アタックチャンス！！」の文字が、進出状態となったときに初めて遊技者から見えるようにすることができ、入球具への入球が可能な状態であることを遊技者にわかり易く呈示することができる。また、進退部材の前面に発光部材や光を反射する反射部材を配置すれば、進退部材が進出状態にあることが遊技者にとって一目瞭然となり、入球具に入球可能な状態であることが容易に把握可能となる。
【００１９】
本発明の他の例示的側面としての遊技機は、上記の入球具と、遊技領域をその表面に画定する遊技盤と、遊技盤を遊技者にとって視認可能となるように保持する枠体と、遊技盤に対してその前方に一定距離以上離間して配置された前面透明板と、遊技領域に向けて球を発射する発射ユニットと、球を貯留する貯留皿とを有することを特徴とする。
【００２０】
この遊技機は、上記の入球具を有しているので、比較的小面積で入球確率の変更を実現することができる。したがって、遊技領域内のスペース効率の向上に寄与することができて、図柄表示装置等の遊技領域内に配置される他の装置の大型化や配置に自由度を高めることができる。遊技領域を流下する球の流下方向や入球具への入球率の調整を容易とすることができ、不測の入球を防止して、設計意図を充分に反映させた遊技機とすることができる。
【００２１】
更に、入球具の流入開口を進退移動する進退部材の前面が、遮蔽部材によって遮蔽されたり露出されたりするので、その進退移動を目立たせて遊技者にとってわかり易いものとすることができる。進退部材の進退移動に意外性や面白さ、利便性を付加して注目させることができ、遊技者に対する興趣向上を図ることもできる。ここで、遊技盤の表面は、前面（遊技者に対向する側の面）のみならず、後面（前面に対する裏面）をも概念として含む。
【００２２】
なお、  その遊技機が、遊技領域に設けられて球が入球可能な第１始動口を備えた第１始動入賞具と、第１始動口への入球に基き第１の遊技を実行する第１遊技手段と、流入開口への入球に基き第２の遊技を実行する第２遊技手段とを備え、第１始動入賞具と遊技機用の入球具とが遊技領域の正面視において左右方向同側に配置されていてもよい。
【００２３】
第１始動入賞具と上記の入球具とが遊技領域の正面視において左右方向同側に配置されているので、遊技者は、いわゆる右打ち・左打ちに打ち分ける必要なく、左右同側に球発射を続けることにより第１の遊技の発生も第２の遊技の発生も狙うことができる。この場合において、左右同側に第１始動入賞具と上記の入球具とが配置されているが、上記の入球具においては、進退部材の前後進退移動によって、不測の入球が防止されている。したがって、遊技者が第１の遊技の発生を狙っている最中に、意図せず第２の遊技が発生してしまうのを防止することができる。
【００２４】
ここにおいて、第１遊技手段とは、第１の遊技としての図柄変動大当たり（後述）を実行するための手段を意味し、より具体的に例示すれば、第１始動口への入球に起因して第１抽選を行う第１抽選手段、その抽選結果の呈示を実行する抽選結果呈示手段、抽選結果に応じて第１大入賞口の開閉制御を実行する動作制御手段等を含む概念である。第２遊技手段とは、第２の遊技としての役物大当たり（後述）を実行するための手段を意味し、より具体的に例示すれば、流入開口への入球に基づき第２大入賞口の開閉制御を実行する動作制御手段を含む概念である。
【００２５】
なお、第１の遊技（１種大当たり又は図柄変動大当たりともいう。）と第２の遊技（２種大当たり又は役物大当たりともいう。）とを実現可能な遊技機として、例えば、後述する１種２種タイプのパチンコ機が概念できる。このような、１種２種タイプのパチンコ機に本発明を適用することにより、例えば、右側領域及び右打ち遊技を廃することができる。遊技領域のうち左側領域のみを用いて、意図しない２種大当たりを防止しつつ１種２種遊技を実現することができる。
【００２６】
本発明の更なる目的又はその他の特徴は、以下添付図面を参照して説明される好ましい実施の形態によって明らかにされるであろう。
【発明の効果】
【００２７】
本発明によれば、進退部材の前後進退移動により入球の許容と阻止とを変更しているので、遊技領域内における省スペース化に貢献することができ、また、進退部材の退避移動中における不測の入球を防止することができる。遮蔽部材により進退部材の前面の遮蔽／露出を行うので、進退移動を目立たせてわかり易いものとすることができ、遊技者に安心感、面白み、意外性等を提供することができる。
【発明を実施するための最良の形態】
【００２８】
以下、本発明の実施の形態について図面を用いて説明する。図１は、本発明の実施の形態に係る遊技機としてのパチンコ機２の正面図である。このパチンコ機２は、枠体３、遊技盤ユニット５、前面ガラス（前面透明板）１０、装飾枠（前面枠）１２、発射ユニット（不図示）、貯留皿１４を有している。
【００２９】
なお、遊技機は、パチンコ機２の他にパロット機、アーケードマシン、各種ゲーム機、その他の球の流下による遊技を実現する遊技機を概念することができる。パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００３０】
パチンコ機２の枠体３は、後述する遊技盤ユニット５を内側に保持し、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３１】
枠体３は、例えば、最外郭に配置されてパチンコホールの遊技機設置島に取り付けられる筐体枠４、その筐体枠４に対して前後揺動可能に軸支され遊技盤ユニット５を保持する機枠９とを有して構成される。そして、その機枠９の前方には、前面ガラス１０とその周囲を装飾する装飾部材３２とを保持する装飾枠１２が配置される。なお、前面ガラス１０は、枠体３内部に保持された遊技盤６を前方から遊技者が視認することができるようにするための透明部材であるが、詳細は後述する。
【００３２】
遊技盤ユニット５は、遊技盤６とその遊技盤６の略中央に配置されたセンター役物７とを有して構成されている。その遊技盤６は、遊技盤面（表面）６ａに球（パチンコ球）２３の流下による遊技を実現するための遊技領域６ｂを画定するための盤状部材であり、本実施の形態においては、前面側の遊技盤面６ａに遊技領域６ｂが構成される。そして遊技盤６は、遊技盤面６ａを前方から遊技者にとって視認可能となるように枠体３（本実施の形態においては、枠体３の一部としての機枠９。）に保持されている。遊技盤面６ａには、略円形状に周囲を囲むようにレール飾り２６が取り付けられており、レール飾り２６の内周面（内側面）２６ａが遊技盤面６ａに対して立設するように配置されている。そして、その内側面２６ａによって画定され、内側面２６ａに面した略円形状の領域が遊技領域６ｂとなっている。
【００３３】
遊技領域６ｂには、ゲージ（障害釘）２７が配置されている。このゲージ２７は、遊技領域６ｂを流下する球２３と衝突してその流下方向を変更させるものであり、遊技領域６ｂ内に多数配置されている。また、遊技領域６ｂには、普通入賞口２８、第１始動口２９、第２始動口（図２参照）１６を備えた第２始動入賞具（遊技機用の入球具）１１、第１大入賞口３１、第２大入賞口８ａ、通過ゲート（通過領域）３３、風車３４等が配置されており、流下する球２３が各入賞口や始動口に流入したり、通過ゲート３３を通過したり、風車３４を回転させたりすることによって、球２３による流下遊技を楽しむことができるようになっている。
【００３４】
センター役物７は、遊技盤面６ａの略中央に配置されて図柄変動遊技や役物遊技を実現するものであり、主として第１の遊技における図柄表示を行う図柄表示装置７ａ及び主として役物遊技を実現するセンター飾り８を有している。
【００３５】
図柄表示装置７ａは、例えば、液晶表示装置・有機ＥＬディスプレイ・ＬＥＤ等により構成されて遊技者が遊技盤面６ａ側から視認可能となるように配置され、その表示画面（映像表示面）７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００３６】
図示しない球発射ユニットにより球２３が発射されると、球２３はレール飾り２６の内側面２６ａに沿いつつ進行して遊技領域６ｂ内の上部に至る。その後、球２３はゲージ２７に衝突しつつ遊技領域６ｂ内を下方に流下し、あるものは普通入賞口に入賞して一定数の景品球払出しの契機となり、あるものはいずれの入賞口にも流入せずに遊技領域６ｂ内最下部に位置するアウト口３０に流入してパチンコ機２の外部へと排出される。
【００３７】
図柄変動遊技中に球２３が第１始動口に流入すると、その流入に起因して第１の遊技発生のための第１抽選手段（第１遊技手段の一部）による第１抽選が開始される。それと共に、図柄表示装置７ａの表示図柄７ｃが回転表示を開始する。第１抽選の結果が当たりであれば、表示図柄７ｃが所定の図柄（例えば、「７・７・７」。）で停止表示し、図柄変動遊技における大当たり（第１の遊技。以下、図柄変動大当たりという。）が発生する。そして、第１大入賞口３１が開放して多量の入賞球を受け入れ、多量の景品球が貯留皿１４へと払い出されるようになっている。
【００３８】
センター飾り８は、図柄表示装置７ａの表示画面７ｂの周囲であって遊技盤面６ａ上に配置された樹脂製の造形体である。センター飾り８は、例えば表示画面７ｂの周囲を囲み、表示画面７ｂが遊技者に視認可能となるように配置されている。センター飾り８には、模様や色彩が付され、また、キャラクター等の造形が施されており、装飾的な演出効果を発揮するようになっている。
【００３９】
また、センター飾り８の一部には、球２３の流入可能な状態と流入不可能な状態とに状態変更可能（開閉可能）な第２大入賞口８ａが配置されている。この第２大入賞口８ａは役物遊技中において大当たり（第２の遊技。以下、役物大当たりという。）発生時に所定時間開放され、その開放時には球２３がセンター飾り８の内部へと流入可能とされている。一方、第２大入賞口８ａの閉鎖時にはセンター飾り８の内部への球２３の流入はできないようになっている。
【００４０】
センター飾り８の中央部に配置された図柄表示装置７ａは、奥行き方向において遊技盤面６ａよりもやや奥まって配置されている。その図柄表示装置７ａの前方部分には第２大入賞口８ａから流入した球２３を一定確率で入賞させることのできるＶ入賞口３５が配置されている。そのＶ入賞口３５に球２３が流入すると、第１大入賞口３１が開放して多量の入賞球を受け入れ、役物大当たり遊技を継続的に楽しむことができるようになっている。
【００４１】
センター飾り８は、この遊技盤面６ａの略中央やや右寄りに位置しており、遊技盤面６ａの正面視右側領域にはセンター飾り８の上部及び側部付近とレール飾り２６の内側面２６ａとによって球通路８ｂが形成されている。この球通路８ｂは球２３が１個宛通過することのできる通路寸法とされており、球通路８ｂを通過した球２３は、遊技領域６ｂの右下方近傍に至ってアウト口３０へと流入するようになっている。この球通路８ｂ部分以外の遊技領域６ｂは、遊技盤６の左側から下方部分にかけて構成されている。
【００４２】
発射ユニットによって発射された球２３は、左側の遊技領域６ｂを流下しつつ例えば通過ゲート３３を通過する。その通過ゲート３３の通過に起因して第２抽選手段による抽選が行われ、その抽選結果が当たりの場合に、第２始動入賞具１１が備える第２始動口１６が一定時間開放する。第２始動口１６は、閉鎖状態では球２３の流入が不可能とされているが、その開放中に球２３が第２始動口１６に流入すると、それに起因して役物大当たり遊技が発生し、第２大入賞口８ａが所定時間開放する。その開放時間中に、後続の球２３が第２大入賞口８ａ内に流入し、Ｖ入賞口３５に入賞すれば、第１大入賞口３１の開放により役物大当たり遊技の継続を楽しむことができるようになっている。
【００４３】
なお、ここにおいて、第２始動口１６の開放状態とは、後述する下ベロ部材（進退部材）１８（図２参照）が進出した状態であって、第２始動口１６が球２３を流入可能な状態をいう。また、第２始動口１６の閉鎖状態とは、下ベロ部材１８が退避した状態であって、第２始動口１６が球２３を流入不可能な状態をいう。
【００４４】
以下、この第２始動口１６を備える第２始動入賞具１１の構成について詳細に説明する。
【００４５】
図２は、このパチンコ機２が有する第２始動入賞具１１の外観斜視図である。この第２始動入賞具１１は、ベースプレート１７、下ベロ部材１８、可動プレート（遮蔽部材）１９、ソレノイド（駆動手段）２０、収納部２１、前板２４を有している。図２において、（ａ）は、下ベロ部材１８の進出状態を示しており、（ｂ）は、下ベロ部材１８の退避状態を示している。なお、前板２４は透明樹脂材料で形成されているので、図２においては、想像線で図示している。
【００４６】
ベースプレート１７は、この第２始動入賞具１１を遊技盤面６ａに取り付けるための取付けプレートである。このベースプレート１７には、下ベロ部材１８の進出時において球２３を流入させるための第２始動口１６が開口形成されている。第２始動口１６は、略長方形状に開口形成されており、その縦寸法Ｈ及び横寸法Ｗは、それぞれ球２３の直径寸法Ｄ（図３参照）よりも大きい寸法とされている。
【００４７】
下ベロ部材１８は、第２始動口１６内を前方向（図３中＋Ｚ方向）及び後方向（−Ｚ方向）に進退移動する板状部材である。下ベロ部材１８は上面側に受け面１８ａを有しており、遊技領域６ｂを流下する球２３を進出状態において受け取って第２始動口１６内へと流入させるようになっている。
【００４８】
図３は、この下ベロ部材１８の進出状態及び退避状態における第２始動口１６との位置関係を説明するための側方断面模式図であって、（ａ）は下ベロ部材１８の進出状態を示しており、（ｂ）は下ベロ部材１８の退避状態を示している。図３（ａ）に示す下ベロ部材１８の進出状態において、受け面１８ａと第２始動口１６の上縁（開口縁の一部）１６ａとの距離Ｌは球２３の直径寸法Ｄよりも大きくなるように設定されている。したがって、受け面１８ａで受け止められた球２３は、第２始動口１６から流入することができる。なお、受け面１８ａは、球２３を第２始動口１６へと導くように、後方（−Ｚ方向）に向けて下がり傾斜している。したがって、受け面１８ａで受け止められた球２３は、素早くかつ円滑に第２始動口１６へと流入する。
【００４９】
一方、図３（ｂ）に示す下ベロ部材１８の退避状態において、受け面１８ａと第２始動口１６の上縁１６ａとの距離Ｌは、球２３の直径寸法Ｄよりも小さくなるように設定されている。したがって、この下ベロ部材１８の退避状態においては、遊技領域６ｂを流下する球２３がゲージ２７等に衝突して第２始動口１６に向かってきたとしても、第２始動口１６への流入は確実に阻止される。第２始動口１６の上縁１６ａと協働することにより、下ベロ部材１８の進退移動のみを利用して第２始動口１６への流入阻止を実現しているので、流入阻止のために別途の部材を用いておらず、部品点数やコストの低減、構造の簡単化に寄与している。
【００５０】
下ベロ部材１８を直線的に（本実施の形態においては、前後に。）進退移動させるだけで、球２３の第２始動口１６への流入の可否を変更することができるので、移動構造を簡単な構造にすることができる。そして、受け面１８ａ上に球２３が載った場合においても、下ベロ部材１８の退避移動に起因して、第２始動口１６へと押し入れるような外力を球２３に対して作用させない。したがって、下ベロ部材１８の退避途中における不測の入球が確実に防止されている。
【００５１】
第２始動口１６の下縁（開口縁の一部）１６ｂ近傍には、可動プレート１９が取り付けられている。この可動プレート１９は、略平板状の部材であって、下縁１６ｂ近傍に配置された幅方向に延びる回転軸１９ａを中心に前後方向（図３中±Ｘ方向）に回転可能とされている。可動プレート１９は、下ベロ部材１８の退避状態においては、バネ（不図示）により付勢されて−Ｘ方向へと回転し、ストッパー（不図示）によって立位状態で停止されて第２始動口１６を部分的に塞いでいる。
【００５２】
このとき、前方の遊技者から可動プレート１９の前面１９ｂが視認可能とされ、下ベロ部材１８の前面１８ｂは可動プレート１９によって遮蔽されて見えないようになっている。可動プレート１９の前面１９ｂには、装飾演出のための画像や遊技説明のための文字等が記載されており、下ベロ部材１８の退避状態において、遊技者がこの前面１９ｂの画像や文字等を視認することができるようになっている。
【００５３】
下ベロ部材１８が進出移動すると、その前面１８ｂによって可動プレート１９が＋Ｘ方向に回転させられ、可動プレート１９が前方へ倒れた状態となる。このとき、可動プレート１９の前面１９ｂは下方を向いて遊技者から視認できなくなるが、その代わりに進出状態となった下ベロ部材１８の前面１８ｂが遊技者に視認可能となる。下ベロ部材１８の前面１８ｂに、可動プレート１９の前面１９ｂとは異なる画像や文字等を記載しておけば、下ベロ部材１８の進退移動に伴って、様々な演出又は情報を遊技者に対して提供することができる。
【００５４】
下ベロ部材１８の進出移動に伴って、可動プレート１９が、前方へ倒れ込むように回転して下ベロ部材１８の前面１８ｂを露出させるので、大きなスペースを使わずに実現されるその意外性のある進退移動により、遊技者の興趣を向上させることができる。
【００５５】
ソレノイド２０は、下ベロ部材１８を前後方向（±Ｚ方向）に進退移動させるための駆動手段である。ソレノイド２０は、下ベロ部材１８に連結されてその後方に配置され、収納部２１内に保持されている。その収納部２１は、ベースプレート１７の後方に取り付けられた収容部材であり、ソレノイド２０の他、ソレノイド２０と下ベロ部材１８とを連結する連結機構（不図示）等を内部に保持している。収納部２１内には、第２始動口１６から流入した球２３を検出する球通過センサも保持され、その球２３をパチンコ機２内の入賞球通路へと導く球経路（不図示）が形成されている。
【００５６】
前板２４は、ベースプレート１７の前方に配置されて、球２３が第２始動口１６へ流入するのを補助するプレート部材である。前板２４は、補助経路を構成する側壁２４ａを有して構成され、第２始動入賞具１１の上方から流下してきた球２３を、進出状態の下ベロ部材１８の受け面１８ａへと導く機能を有している。本実施の形態においては、この前板２４が透明樹脂材料で形成されているので、前板２４を通して遊技者が下ベロ部材１８の進退移動や可動プレート１９の回転動作を視認することができる。
【００５７】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５８】
装飾枠１２は、主として遊技盤６の前方を囲む枠部材であり、機枠９の前方にヒンジ部２２によって前方開閉可能に揺動支持されている。装飾枠１２は、開口形成された開口部分に前面ガラス１０を保持し、その前面ガラス１０を通して遊技盤６を遊技者にとって視認可能としている。開口の周囲には、パチンコ機２を装飾し、遊技を演出するための装飾部材３２が配置されている。
【００５９】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００６０】
貯留皿１４は、遊技者の持ち球を貯留するためにパチンコ機２の前面に配置された皿部材であって、本実施の形態においては上皿１４ａと下皿１４ｂとを有している。上皿１４ａの近傍に配置された球排出ボタン１４ｃを操作すると、上皿１４ａ内に貯留された球２３が下皿１４ｂへと排出されるようになっている。
【００６１】
次に、このパチンコ機２における遊技方法について簡単に説明する。なお、このパチンコ機２においては、遊技領域６ｂが主に遊技盤面６ａの左側及び下方部分に配置されており、第１始動口２９、第２始動口１６及び通過ゲート３３のいずれもが左側の遊技領域６ｂに配置されている。また、遊技開始時においては、下ベロ部材１８は退避状態にあり、第２始動口１６は閉鎖状態となっている。したがって、この状態においては可動プレート１９が立位状態で停止して下ベロ部材１８の前面１８ｂを遮蔽し、可動プレート１９の前面１９ｂが遊技者に向けて提供されている。なお、遊技者は、透明な前板２４を通して可動プレート１９の前面１９ｂを視認することができる。
【００６２】
＜図柄変動遊技＞
遊技者が、発射ハンドル１５を操作すると、球発射が行われ、球２３が発射レール（不図示）及びレール飾り２６の内側面２６ａに沿って発射されて遊技領域６ｂの上部へと至る。図柄変動遊技においては、遊技者は第１始動口２９への入賞を狙って左打ち（遊技領域６ｂの左側部分への球発射）を行う。発射された球２３は内側面２６ａから落下を開始し、遊技領域６ｂを流下する。遊技領域６ｂを流下した球２３は、例えば普通入賞口２８に入賞したり、第１始動口２９に入賞したりする。
【００６３】
第１始動口２９へと球２３が流入すると、第１抽選手段による第１抽選（第１の遊技の抽選）が実行され、図柄表示装置７ａが表示図柄７ｃの回転表示を開始する。そして、第１抽選の結果が当たりとなり、所定の大当たり態様（例えば、「７・７・７」。）で表示図柄７ｃが停止表示されると、図柄変動大当たり発生となり、第１大入賞口３１が開放する。そして、多量の球２３が第１大入賞口３１へと流入し、多量の景品球が払い出される。
【００６４】
第１大入賞口３１の開閉動作が所定回数繰り返して行われ、その後に図柄変動大当りが終了する。図柄変動大当たりの表示図柄７ｃの停止態様は、例えば「２・２・２」、「６・６・６」「７・７・７」等のように複数の態様を有している。そのうちの一部の態様（例えば、「７・７・７」。）での図柄変動大当たり遊技が終了すると、その後に役物遊技が開始される。
【００６５】
＜役物遊技＞
役物遊技が開始されると、遊技者は通過ゲート３３への球２３の通過を狙い、図柄変動遊技の場合と同様に左打ちを行う。球２３が通過ゲート３３を通過すると、それに起因して第２抽選手段による第２抽選（第２の遊技の抽選）が行われる。その抽選結果が当たりの場合に、第２始動口１６における下ベロ部材１８が進退移動し、一定時間（例えば、１秒以下の短時間。）の第２始動口１６の開放状態を発生させる。
【００６６】
下ベロ部材１８の進出移動に伴い、可動プレート１９が下ベロ部材１８に押されて前方に倒れ、下ベロ部材１８の前面１８ｂが遊技者に向けて露出されることとなる。したがって、遊技者は前板２４を通して下ベロ部材１８の前面１８ｂに記載された画像や文字を、一定時間視認することができる。
【００６７】
その下ベロ部材１８の進出状態において、球２３が下ベロ部材１８の受け面１８ａに受け止められて第２始動口１６に入賞した場合には、役物大当たり遊技発生となり、第２大入賞口８ａが所定時間開放する。後続して遊技領域６ｂを流下する球２３が第２大入賞口８ａに流入し、センター役物７内に配置されたＶ入賞口３５に入賞すれば、役物大当たり遊技継続となって第１大入賞口３１が開放する。そして、多量の球２３が第１大入賞口３１へと流入し、多量の景品球が払い出されつつ役物大当たり遊技を継続して楽しむことができる。
【００６８】
なお、第１始動口２９、第２始動口１６及び通過ゲート３３がいずれも遊技盤面６ａの左側に配置される遊技領域６ｂに位置するため、図柄変動遊技中に通過ゲート３３に球２３が通過してしまう場合がある。そして、第２抽選手段による抽選結果が当たりになると、第２始動口１６における下ベロ部材１８が進退移動することとなる。
【００６９】
しかしながら、下ベロ部材１８の進退移動が直線的な前後移動であるので、その退避移動の途中に球２３が受け面１８ａに載ったとしても、その球２３を第２始動口１６へと押し込むような外力を作用させない。したがって、退避移動の途中に受け面１８ａに載った球２３をそのまま遊技領域６ｂに残して流下させることができるので、いわゆる「不測の入球」を防止することができる。
【００７０】
以上、本発明の好ましい実施の形態を説明したが、本発明はこれらに限定されるものではなく、その要旨の範囲内で様々な変形や変更が可能である。
【００７１】
［変形例１］
可動プレート１９の可動態様としては、様々な態様を適用することができる。例えば、図４は、本発明の変形例１に係る第２始動入賞具１１の外観斜視図であって、（ａ）は、下ベロ部材１８の進出状態を示しており、（ｂ）は、下ベロ部材１８の退避状態を示している。この変形例１においては、可動プレート１９は、第２始動口１６の高さ方向に延びる回転軸１９ａ周り（Ｙ方向）に回転可能とされている。
【００７２】
図４（ｂ）に示すように、下ベロ部材１８の退避状態においては、可動プレート１９が上記実施の形態と同様に第２始動口１６を部分的に塞いだ状態となっているが、下ベロ部材１８の進出移動によって、図４（ａ）に示すように、可動プレート１９が＋Ｙ方向に回転して前方へと開くようになっている。それにより、下ベロ部材１８の前面１８ｂが露出して、前方の遊技者に対して視認可能とされる。
【００７３】
このとき、下ベロ部材１８の前面１８ｂと共に、可動プレート１９の側面１９ｃも遊技者に向けられるので、この前面１８ｂと側面１９ｃの両方に、例えば反射部材や発光部材を配置することにより、下ベロ部材１８の進出移動を目立たせることができる。その結果、遊技者の興趣が向上する。
【００７４】
［変形例２］
図５は、本発明の変形例２に係る第２始動入賞具１１の外観斜視図であって、（ａ）は、下ベロ部材１８の進出状態を示しており、（ｂ）は、下ベロ部材１８の退避状態を示している。この変形例２においては、第２始動入賞具１１が２つの可動プレート１９を有しており、各々第２始動口１６の幅方向中央近傍から左側又は右側部近傍にかけて配置されている。この変形例２においても、変形例１と同様に可動プレート１９が第２始動口１６の高さ方向に延びる回転軸１９ａ周り（Ｙ方向）に回転可能とされている。
【００７５】
図５（ｂ）に示すように、下ベロ部材１８の退避状態においては、２つの可動プレート１９が協働して第２始動口１６を部分的に塞いだ状態となるが、下ベロ部材１８の進出移動によって、図５（ａ）に示すように、２つの可動プレート１９が各々＋Ｙ方向及び−Ｙ方向に回転して前方へと開くようになっている。それにより、下ベロ部材１８の前面１８ｂが露出して、前方の遊技者に対して視認可能とされる。
【００７６】
このとき、下ベロ部材１８の前面１８ｂと共に、可動プレート１９の側面１９ｃも遊技者に向けられるので、この前面１８ｂと側面１９ｃの両方に、例えば反射部材や発光部材を配置することにより、下ベロ部材１８の進出移動を目立たせることができる。その結果、遊技者の興趣が向上する。更に、２つの可動プレート１９が下ベロ部材１８の左右側方に立設する立設壁として機能するようになっており、下ベロ部材１８の受け面１８ａで受けた球２３が左右に零れ落ちるのを防止したり、左右方向から意図しない球２３が受け面１８ａへと至るのを防止する機能を発揮している。
【００７７】
［変形例３］
図６は、本発明の変形例３に係る第２始動入賞具１１の外観斜視図であって、（ａ）は、下ベロ部材１８の進出状態を示しており、（ｂ）は、下ベロ部材１８の退避状態を示している。この変形例３においては、第２入賞口１６の下方近傍にガイドレール２５が配置されており、可動プレート１９がガイドレール２５に沿って上下方向に移動可能とされている。
【００７８】
図５（ｂ）に示すように、下ベロ部材１８の退避状態においては、可動プレート１９が上方に移動して第２始動口１６を部分的に塞いだ状態となるが、下ベロ部材１８の進出移動によって、図５（ａ）に示すように、可動プレート１９がガイドレール２５に沿って下方に移動するように構成されている。可動プレート１９の裏面側に下ベロ部材１８の前部１８ｂに当接するテーパ面（不図示）が形成されて、下ベロ部材１８の前部１８ｂによって可動プレート１９が下に押し下げられるようになっていてもよいし、可動プレート１９を別途の駆動手段によって上下移動しても構わない。可動プレート１９の下方移動により、下ベロ部材１８の前面１８ｂが露出して、前方の遊技者に対して視認可能とされる。
【００７９】
この変形例３においては、下ベロ部材１８の進出移動に伴い、可動プレート１９が回転移動することなく下方にスライド移動しているので、下ベロ部材１８の進出状態においても下ベロ部材１８の前部１８ｂと可動プレート１９の前部１９ｂとの両方が遊技者に提供されている点に特徴がある。
【００８０】
［変形例４］
図７は、本発明の変形例４に係る第２始動入賞具１１の外観斜視図であって、（ａ）は、下ベロ部材１８の進出状態を示しており、（ｂ）は、下ベロ部材１８の退避状態を示している。この変形例３においては、上記実施の形態１と同様に下ベロ部材１８の進退移動に伴って可動プレート１９が回転軸１９ａを中心に±Ｘ方向に回転移動するようになっている。
【００８１】
可動プレート１９には段部が形成されており、その裏面１９ｄにおける段部に、進出状態における下ベロ部材１８の前部１８ｂが対向するようになっている。その結果、進出状態において、可動プレート１９の裏面１９ｄ側が受け面の一部として機能し、球２３を受けて第２始動口１６へと導く機能を発揮している。
【図面の簡単な説明】
【００８２】
【図１】本発明の実施の形態に係るパチンコ機の正面図である。
【図２】図１に示すパチンコ機が有する第２始動入賞具の外観斜視図であって、（ａ）は、下ベロ部材の進出状態を示した図であり、（ｂ）は、下ベロ部材の退避状態を示した図である。
【図３】図２に示す下ベロ部材の進出状態及び退避状態における第２始動口との位置関係を説明するための側方断面模式図であって、（ａ）は下ベロ部材の進出状態を示した図であり、（ｂ）は下ベロ部材の退避状態を示した図である。
【図４】本発明の変形例１に係る第２始動入賞具の外観斜視図であって、（ａ）は、下ベロ部材の進出状態を示した図であり、（ｂ）は、下ベロ部材の退避状態を示した図である。
【図５】本発明の変形例２に係る第２始動入賞具の外観斜視図であって、（ａ）は、下ベロ部材の進出状態を示した図であり、（ｂ）は、下ベロ部材の退避状態を示した図である。
【図６】本発明の変形例３に係る第２始動入賞具の外観斜視図であって、（ａ）は、下ベロ部材の進出状態を示した図であり、（ｂ）は、下ベロ部材の退避状態を示した図である。
【図７】本発明の変形例４に係る第２始動入賞具の外観斜視図であって、（ａ）は、下ベロ部材の進出状態を示した図であり、（ｂ）は、下ベロ部材の退避状態を示した図である。
【符号の説明】
【００８３】
Ｄ：直径寸法
Ｈ：縦寸法
Ｌ：距離
Ｗ：横寸法
Ｘ，Ｙ，Ｚ：方向
２：パチンコ機（遊技機）
３：枠体
４：筐体枠（枠体の一部）
５：遊技盤ユニット
６：遊技盤
６ａ：遊技盤面（表面）
６ｂ：遊技領域
７：センター役物
７ａ：図柄表示装置
７ｂ：表示画面（映像表示面）
７ｃ：表示図柄
８：センター飾り
８ａ：第２大入賞口
８ｂ：球通路
９：機枠（枠体の一部）
１０：前面ガラス（前面透明板）
１１：第２始動入賞具（遊技機用の入球具）
１２：装飾枠（前面枠）
１４：貯留皿
１４ａ：上皿
１４ｂ：下皿
１４ｃ：球排出ボタン
１５：発射ハンドル
１６：第２始動口（流入開口）
１６ａ：上縁（開口縁の一部）
１６ｂ：下縁（開口縁の一部）
１７：ベースプレート
１８：下ベロ部材（受け面部材）
１８ａ：受け面
１８ｂ，１９ｂ：前面
１９：可動プレート（遮蔽部材）
１９ａ：回転軸
１９ｃ：側面
１９ｄ：裏面
２０：ソレノイド（駆動手段）
２１：収納部
２２：ヒンジ部
２３：球（パチンコ球）
２４：前板
２４ａ：側壁
２６：レール飾り
２６ａ：内側面（内周面）
２７：ゲージ（障害釘）
２８：普通入賞口
２９：第１始動口
３０：アウト口
３１：第１大入賞口
３２：装飾部材
３３：通過ゲート（通過領域）
３４：風車
３５：Ｖ入賞口
【図１】
2009189578.tif 000003
【図２】
2009189578.tif 000004
【図３】
2009189578.tif 000005
【図４】
2009189578.tif 000006
【図５】
2009189578.tif 000007
【図６】
2009189578.tif 000008
【図７】
2009189578.tif 000009